(57)【特許請求の範囲】
【請求項１】
非同期通信システムから同期通信システムへのハンドオフ機能を有する無線移動通信システムにおいて、
少なくとも一つの非同期基地局と、
前記非同期基地局に隣接しチャネル信号を伝送する少なくとも一つの同期基地局と、
前記非同期基地局または同期基地局と選択的に通信することができる少なくとも一つの二重モード移動局と、
前記非同期基地局に接続されており、前記チャネル信号を受信しデコーディングして、デコーディングされた信号を前記非同期基地局に伝送する受信手段とを
含み、前記非同期基地局は前記デコーディングされた信号を前記二重モード移動局に伝送してハンドオフを遂行するものであることを特徴とする無線移動通信システム。
【請求項２】
前記非同期基地局が、W-CDMA(wideband code division multiple access)通信システムであることを特徴とする請求項1に記載の無線移動通信システム。
【請求項３】
前記同期基地局が、IS-95を基盤とする2Gシステム(2 generation system)及びIS-2000を基盤とする3Gシステム(3 generation system)のいずれか一つであることを特徴とする請求項1に記載の無線移動通信システム。
【請求項４】
前記受信手段が、
前記同期基地局から伝送されたパイロット信号(pilot signal)及び同期信号(Synchronous. signal)を受信する外部信号受信手段と、
前記外部信号受信手段から出力されるパイロット信号及び同期信号をデコーディングして、ロングコードステート(long code state)、隣接基地局リスト(neighbor list)、及び前記同期基地局の時間情報を前記非同期基地局に出力する外部信号デコーディング手段と、
前記非同期基地局から出力される制御信号に応答して前記外部信号受信手段及び外部信号デコーディング手段の状態及び動作を制御する制御手段と
を含む拡張受信機(extended receiver)であることを特徴とする請求項1に記載の無線移動通信システム。
【請求項５】
前記受信手段が、
GPS(global positioning system)衛星からGPS信号を受信する外部信号受信手段と、
前記GPS信号をデコーディングしてロングコードステート及び前記同期基地局の時間情報を獲得し、獲得した情報を前記非同期基地局に伝送する外部信号デコーディング手段と、
前記非同期基地局から出力される制御信号に応答して前記外部信号受信手段及び、前記外部信号デコーディング手段の状態及び動作を制御するための制御手段と
を含むGPS信号受信機であることを特徴とする請求項1に記載の無線移動通信システム。
【請求項６】
同期基地局に関連した隣接基地局リストが、前記非同期基地局が接続されているコア網から伝送されることを特徴とする請求項5に記載の無線移動通信システム。
【請求項７】
前記デコーディングされた信号が、ブロードキャスチング信号(broadcasting signal)、フェージング信号(phasing signal)及び専用信号(dedicated signal)のいずれか一つを介して、前記二重モード移動局に伝送されることを特徴とする請求項1に記載の無線移動通信システム。
【請求項８】
前記二重モード移動局が、前記デコーディングされた信号を利用してハンドオフする隣接した同期基地局を探索することを特徴とする請求項7に記載の無線移動通信システム。
【請求項９】
前記非同期基地局が、ロングコードステートをAICH(acquisition indicator channel)を介して、前記二重モード移動局に伝送することを特徴とする請求項1に記載の無線移動通信システム。
【請求項１０】
前記AICH(acquisition indicator channel)が、二つのフレームの中に15個のアクセススロットを含み、各スロットが4個の用いられないビットを有することを特徴とする請求項9に記載の無線移動通信システム。
【請求項１１】
前記ロングコードステート情報が、12ビットのCRC(cyclic redundancy check)コードと共に挿入されることを特徴とする請求項10に記載の無線移動通信システム。
【請求項１２】
前記非同期基地局が、パイロット信号を一回伝送するための第1領域と、前記ロングコードステートを二回伝送するための第2領域とからなる物理チャネル(physical channel)を介して、前記ロングコードステートを伝送することを特徴とする請求項1に記載の無線移動通信システム。
【請求項１３】
隣接する非同期基地局が、相互に異なる絶対時間を有することを特徴とする請求項1に記載の無線移動通信システム。
【請求項１４】
各隣接非同期基地局の絶対時間ｔiが、下記の数式1で規定されることを特徴とする請求項13に記載の無線移動通信システム。
ti=T+Toffset、i  （１）
ここで、ｉは、整数であり、
tiは、i番目の非同期基地局の絶対時間であり、
Tは、非同期基地局の基準時間であり、
Toffset、iは、非同期基地局に割り当てられたスロット当たりチップ数の整数倍に該当する値を除外した任意の値として上位階層から指定されたオフセット時間を示す。
【請求項１５】
少なくとも一つの非同期基地局と、前記非同期基地局に隣接しチャネル信号を伝送する少なくとも一つの同期基地局と、前記非同期基地局または同期基地局と選択的に通信することができる少なくとも一つの二重モード移動局と、前記非同期基地局に接続されており、前記チャネル信号を受信しデコーディングして、デコーディングされた信号を前記非同期基地局に伝送する受信手段とを含む無線移動通信システムにおける非同期システムから同期システムへのハンドオフ方法において、
前記チャネル信号を受信する第1ステップと、
非同期モードで動作している二重モード移動局と通信する第2ステップと、
ハンドオフする隣接した非同期基地局を探索する第3ステップと、
ハンドオフする隣接した非同期基地局がない場合、前記二重モード移動局にパワーモニタリング命令を伝送する第4ステップと、
前記デコーディングされた信号を前記二重モード移動局に伝送する第5ステップと、
パワーモニタリング動作を遂行し、モニタリングされた結果を前記非同期基地局に報告する第6ステップと、
同期基地局にハンドオフを遂行する第7ステップと
を含むことを特徴とするハンドオフ方法。
【請求項１６】
前記第1ステップの後、前記非同期基地局の絶対時間を設定するための初期化を遂行する第8ステップを含むことを特徴とする請求項15に記載のハンドオフ方法。
【請求項１７】
前記第8ステップが、
上位階層から、スロット当たりのチップ数の整数倍に該当する値を除外した任意の値であり、かつ各非同期基地局が有する相互に異なる値であるオフセット時間を受信する第8-1ステップと、
前記隣接した同期基地局の絶対時間を獲得する第8-2ステップと、
前記隣接した同期基地局の絶対時間及び前記オフセット時間を利用して前記非同期基地局の絶対時間を設定する第8-3ステップと
を含むことを特徴とする請求項16に記載のハンドオフ方法。
【請求項１８】
各非同期基地局の絶対時間が、相互に異なる値であり、下記の数式2で規定されることを特徴とする請求項17に記載のハンドオフ方法。
ti=T+Toffset、i （２）
ここで、iは整数であり、
tiはi番目非同期基地局の絶対時間であり、
Tは非同期基地局の基準時間であり、
Toffset、iは非同期基地局に割り当てられたスロット当たりのチップ数の整数倍に該当する値を除外した任意の値として上位階層から指定されたオフセット時間を示す。
【請求項１９】
少なくとも一つの非同期基地局と、前記非同期基地局に隣接しチャネル信号を伝送する少なくとも一つの同期基地局と、前記非同期基地局または同期基地局と選択的に通信することができる少なくとも一つの二重モード移動局と、前記非同期基地局に接続されており、前記チャネル信号を受信しデコーディングしてデコーディングされた信号を前記非同期基地局に伝送する受信部とを含む無線移動通信システムにおける非同期システムから同期システムへのハンドオフ方法において、
前記チャネル信号を受信する第1ステップと、
非同期モードで動作している二重モード移動局と通信する第2ステップと、
ハンドオフする隣接した非同期基地局を探索する第3ステップと、
ハンドオフする非同期基地局がある場合、当該非同期基地局にハンドオフを遂行する第４’ステップと
を含むことを特徴とするハンドオフ方法。
【請求項２０】
前記第6ステップは、
パワーモニタリング命令及び前記非同期基地局に関連された情報を非同期基地局から同期基地局に伝送する第6-1ステップと、
隣接基地局リストから同期基地局のパイロットチャネルのパワーを獲得する第6-2ステップと、
前記パイロットオフセットを前記非同期基地に報告する第6-3ステップと
を含むことを特徴とする請求項15に記載の非同期式システムから同期式システムへのハンドオフを遂行する方法。
【請求項２１】
前記パワーモニタリング動作が、コンプレストモード(compressed mode)の間に遂行されることを特徴とする請求項20に記載の非同期式システムから同期式システムへのハンドオフを遂行する方法。
【請求項２２】
前記第7ステップが、最大値を有するパイロットチャネル信号を利用してハンドオフする同期基地局を選択することによって遂行されることを特徴とする請求項15に記載のハンドオフ方法。
【請求項２３】
前記第7ステップが、
コア網にハンドオフ要求メッセージ(handoff required message)を伝送する第7-1ステップと、
ハンドオフする同期基地局にハンドオフ要求メッセージ(handoff request message)を伝送する第7-2ステップと
を含むことを特徴とする請求項15に記載のハンドオフ方法。
【請求項２４】
前記非同期基地局が、W-CDMA(wideband code division multiple access)通信システムであることを特徴とする請求項15に記載のハンドオフ方法。
【請求項２５】
前記同期基地局が、IS-95を基盤とする2Gシステム(2 generation system)とIS-2000を基盤とする3Gシステム(3 generation system)のいずれか一つであることを特徴とする請求項15に記載のハンドオフ方法。
【請求項２６】
前記受信手段が、
前記同期基地局から伝送されたパイロット信号(pilot signal)及び同期信号(Synchronous signal)を受信する外部信号受信手段と、
前記外部信号受信手段から出力されるパイロット信号及び同期信号をデコーディングして、ロングコードステート(long code state)、隣接基地局リスト(neighbor list)、及び前記同期基地局の時間情報を前記非同期基地局に出力する外部信号デコーディング手段と、
前記非同期基地局から出力される制御信号に応答して、前記外部信号受信手段及び外部信号デコーディング手段の状態及び動作を制御する制御手段と
を含む拡張受信機(extended receiver)であることを特徴とする請求項15に記載のハンドオフ方法。
【請求項２７】
前記受信手段が、
GPS(global positioning system)衛星からGPS信号を受信する外部信号受信手段と、
前記GPS信号をデコーディングしてロングコードステート及び前記同期基地局の時間情報を獲得し、獲得した情報を前記非同期基地局に伝送する外部信号デコーディング手段と、
前記非同期基地局から出力される制御信号に応答して、前記外部信号受信手段及び前記外部信号デコーディング手段の状態及び動作を制御するための制御手段と
を含むGPS信号受信機であることを特徴とする請求項15に記載のハンドオフ方法。
【請求項２８】
前記非同期基地局が、同期基地局に関連された隣接基地局リストを前記非同期基地局が接続されているコア網から獲得することを特徴とする請求項27に記載のハンドオフ方法。
【請求項２９】
前記デコーディングされた信号が、
ブロードキャスチング信号(broadcasting signal)、フェージング信号(phasing signal)及び専用信号(dedicated signal)のいずれか一つを介して前記二重モード移動局に伝送されることを特徴とする請求項15に記載のハンドオフ方法。
【請求項３０】
前記二重モード移動局が、前記デコーディングされた信号を利用してハンドオフする隣接した同期基地局を探索することを特徴とする請求項29に記載のハンドオフ方法。
【請求項３１】
前記非同期基地局が、ロングコードステートをAICH(acquisition indicator channel)を介して、前記二重モード移動局に伝送することを特徴とする請求項15に記載のハンドオフ方法。
【請求項３２】
前記AICH(acquisition indicator channel)が、二つのフレームの中に15個のスロットを含み、各スロットが4個の用いられないビットを有することを特徴とする請求項31に記載のハンドオフ方法。
【請求項３３】
前記ロングコードステート情報が、12ビットのCRC(cyclic redundancy check)コードと共に挿入されることを特徴とする請求項32に記載のハンドオフ方法。
【請求項３４】
前記非同期基地局が、
パイロット信号を一回伝送するための第1領域及び前記ロングコードステートを2回伝送するための第2領域からなる物理チャネル(physical channel)を介して、前記ロングコードステートを伝送することを特徴とする請求項33に記載のハンドオフ方法。
【請求項３５】
50ビットのロングコードステートを、前記物理チャネルを介して受信して、12ビットのCRCコードを付加する第8ステップと、
CRCコーディング動作を遂行して62ビットのCRCコーディングされたデータを出力する第9ステップと、
CRCコーディングされたデータのテール(tail)部分に8ビットのデータを追加して、70ビットのデータを出力する第10ステップと、
前記70ビットのデータをコンボルーションエンコーディング(convolution encoding)を遂行して、140ビットのデータを出力する第11ステップと、
前記140ビットのデータにインタリービング(interleaving)動作を遂行して、インタリービングされたロングコードステートを前記二重モード移動局に出力する第12ステップと、
前記第8ステップないし第12ステップを２回繰り返し遂行する第13ステップと
を遂行して前記ロングコードステートを、前記物理チャネルを介して伝送することを特徴とする請求項34に記載のハンドオフ方法。
【発明の詳細な説明】
【０００１】
【発明が属する技術分野】
本発明は、無線移動通信システムに関し、特にW-CDMA(wide band code division multiple access)システムのような非同期基地局からIS-95を基盤とする2GシステムとIS-2000を基盤とする3Gシステムのような同期基地局へのハンドオフを遂行するための無線移動通信システム及びその方法に関する。
【０００２】
【従来の技術】
一般に、移動通信システムは、同期式通信システムと非同期式通信システムがある。同期式通信システムは、GPS(global positioning system)により提供されるマスタークロック(master clock)に同期されて動作し、非同期式通信システムはマスタークロックと関係なく動作する。また、同期式通信システムは、IS(interim standard)-95とIS-41とのようなISプロトコルに基づいてデータインタフェースまたはデータ伝送を遂行し、非同期式通信システムは、UTMS(universal mobile telecommunication system)、UTRA(terrestrial radio access)規格に基づいて、データインタフェースまたはデータ伝送を遂行する。
【０００３】
移動通信ユーザが急増しマルチメディアに対する要求が増加することによって、多様な形態の情報を伝送できる移動通信システムが要求されている。かかる要求を満足させるために、ITU(international telecommunication union)で次世代移動通信システムとしてIMT-2000(international mobile telecommunication - 2000)が提案された。
【０００４】
IMT-2000の展開において、次の4種類のネットワークインタフェース構造がある。
1)同期モードで動作する二重モード移動局−同期無線網−同期コア網(ANSI-41網)
2)同期モードで動作する二重モード移動局−同期無線網−非同期コア網(GSM-MAP網)
3)非同期モードで動作する二重モード移動局−非同期無線網−非同期コア網(GSM−MAP網)
4)非同期モードで動作する二重モード移動局−非同期無線網−同期コア網(ANSI-41網)
図1Aないし図1Dは、IMT-2000のネットワークインタフェース構造を示す図である。図1Aないし図1Dで、二重モード移動局(dual mode mobile station)10は無線網の種類に応じて同期式通信システム及び非同期式通信システムと選択的に通信することができる移動局である。
【０００５】
図面で、非同期モードで動作する二重モード移動局と非同期無線網との間のエアーインタフェース(Air-interface)は、非同期通信エアーインタフェースプロトコル(asynchronous communication Air-interface protocol)を利用し、非同期無線網と同期コア網との間のエイインタフェース(A-interface)は、3G-IOSプロトコル(3 generation interoperability specification protocol)を利用する。しかし、図1Dの場合、呼制御(call control)、ハンドオフ遂行手順、メッセージ及びパラメータの種類などが、エアーインタフェースとエイインタフェースとの間では異なるために、効果的な呼制御及びハンドオフ方法が必要である。
【０００６】
ここで、ハンドオフとは、移動局が通信中に一つの特定セルから隣接した他のセルに移動する場合、移動局に新しい通信チャネルを割り当てることをいう。ハンドオフ方式には、ハードハンドオフ方式とソフトハンドオ方式がある。
【０００７】
ハードハンドオフは、移動局が一つのセルからもう一つのセルに移動する際に、通信中である基地局の通話チャネルを切って、他の基地局の通話チャネルを接続することによって遂行される。この時、通話断絶現象が発生する。ソフトハンドオフは、移動局が一つのセルからもう一つのセルに移動する際に、もう一つの基地局への通話チャネルを接続した後、以前の通話中である基地局の通話チャネルを切ることによって遂行される。
【０００８】
例えば、非同期基地局と通話中である二重モード移動局が、二重モード移動局に通信サービスを提供し得る非同期基地局がない基地局に移動する場合には、通話中の非同期基地局からその非同期基地局に隣接した同期基地局へのハンドオフが必要である。
【０００９】
非同期基地局から隣接した同期基地局へのハンドオフを遂行するために、移動局は、隣接する同期基地局のパイロットオフセット(pilot offset)、同期チャネル(Synchronous channel)のスーパフレームタイミング(superframe timing)、ロングコードステート(long code state)などのような同期基地局に関連した情報を獲得しなければならない。また、通話断絶現象を最小化するために、移動局はコンプレストモード(compressed mode)の前に情報を獲得しなければならない。
【００１０】
すべての同期基地局のパイロットチャネルは、215チップ(26.667 ms)の長さを有する一つのショートコード(short code)を使用し、各同期基地局は、そのオフセットで、パイロットチャネルに対応するパイロットオフセットに従って認定される。従って、コンプレストモード(Compressed mode)の間にパイロットチャネルを探索するために、26.677 msの全期間探索する必要があるので、時間の浪費が生じる。
【００１１】
また、パイロットオフセットとトラフィックチャネルで用いられるロングコードステートを獲得するために、同期チャネル(Synchronous channel)をデコーディングする必要がある。しかし、同期チャネルのスーパフレームは80msの周期を有しているために、非同期基地局から同期基地局へのハンドオフを遂行することには多くの時間がかかる。
【００１２】
また、移動局が隣接する同期基地局に関連した情報を獲得できない場合、移動局は非同期基地局からパワーモニタリング命令を受信した時、パワーモニタリングを直ちに遂行することができない。結果的に、移動局が隣接する同期基地局に関連した情報を獲得するために初期セル探索動作を遂行する。しかし、初期セル探索動作は多くの時間が必要であるために、通話断絶のような現象が発生する問題点がある。
【００１３】
【発明が解決しようとする課題】
本発明は、隣接する同期基地局に関連した情報を利用することによって、非同期通信システムから同期通信システムへのハンドオフを遂行するための機能を備えた無線移動通信システム及びその通信システムにおけるハンドオフ方法を提供することを目的とする。
【００１４】
【課題を解決するための手段】
本発明の非同期通信システムから同期通信システムへのハンドオフを遂行する機能を有する無線移動通信システムは、少なくとも一つの非同期基地局と、前記非同期基地局に隣接しチャネル信号を伝送する少なくとも一つの同期基地局と、前記非同期基地局または同期基地局と選択的に通信することができる少なくとも一つの二重モード移動局と、前記非同期基地局に接続されており、前記チャネル信号を受信しデコーディングしてそのデコーディングされた信号を前記非同期基地局に伝送する受信手段とを含み、前記非同期基地局は前記デコーディングされた信号を前記二重モード移動局に伝送してハンドオフを遂行する無線移動通信システムであることを特徴とする。
【００１５】
また、本発明の無線移動通信システムにおける非同期システムから同期システムへのハンドオフ方法は、少なくとも一つの非同期基地局と、チャネル信号を伝送し前記非同期基地局周辺に位置している少なくとも一つの同期基地局と、前記非同期基地局または同期基地局と選択的に通信することができる少なくとも一つの二重モード移動局と、前記非同期基地局に接続されており前記チャネル信号を受信してデコーディングしてデコーディングされた信号を前記非同期基地局に伝送する受信手段とを含む通信システムにおけるハンドオフ処理において、前記チャネル信号を受信する第1ステップと、非同期モードで動作している二重モード移動局と通信する第2ステップと、ハンドオフする隣接非同期基地局を探索する第3ステップと、ハンドオフする隣接非同期基地局がない場合、前記二重モード移動局にパワーモニタリング命令を伝送する第4ステップと、前記デコーディングされた信号を前記二重モード移動局に伝送する第5ステップと、パワーモニタリング動作を遂行してモニタリングされた結果を前記非同期基地局に報告する第6ステップと、同期基地局にハンドオフを遂行する第7ステップとを含むことを特徴とする。
なお、上記「チャネル信号」とは、同期基地局に関連した情報を意味し、例えば、同期基地局のパイロット信号、同期信号などを含んでいる。これらの信号をデコーディングすることによって、ロングコードステート、同期基地局の絶対時間を得ることができる。さらに、後述のように、受信機が拡張受信機の場合には、チャネル信号に、隣接基地局リストも含まれる。
【００１６】
【発明の実施の形態】
以下、本発明が属する技術分野における通常の知識を有する者が本発明を容易に実施できるように、本発明の好ましい実施の形態を添付した図面を参照して詳細に説明する。
【００１７】
図2A及び2Bは、本発明に係る非同期基地局から同期基地局へのハンドオフを示す図である。
【００１８】
W-CDMA(wideband code division multiple access)システムのような非同期基地局からIS(interim standard)-95またはIS-2000のようなプロトコルに基づく隣接する同期基地局にハンドオフを遂行するために、二重モード移動局は同期基地局に関連した情報を獲得する必要がある。
【００１９】
便宜上、無線移動通信システムは、多数の移動局、多数の非同期基地局、多数の同期基地局からなるが、本発明では一つの移動局200、一つの非同期基地局及び一つの隣接する同期基地局からなる無線移動通信システムを説明する。
【００２０】
図3は、本発明に係る同期基地局に関連した情報を受信するための受信部を含む無線移動通信システムを示す図面である。符号300は、非同期基地局または同期基地局と選択的に通信することができる二重モード移動局を示す。図3を参照すれば、本発明に係る無線移動通信システムは、二重モード端末器300、非同期基地局310、非同期基地局に接続されている受信部330、及び非同期基地局310に隣接した同期基地局320からなる。
【００２１】
本発明に係る受信部330は、同期システム信号受信機のような拡張受信機(extended receiver)またはGPS(global positioning system)信号受信機で具体化できる。同期システム信号受信機のような拡張受信機を使用する場合、拡張受信機は、同期基地局から伝送されたパイロット信号(pilot signal)及び同期信号(Synchronous signal)を受信し、デコーディングして、同期基地局320に関連した情報を獲得する。ここで、同期基地局に関連した情報には隣接基地局リスト(neighbor list)、ロングコードステート(long code state)、同期基地局の絶対時間のような時間関連情報などが含まれる。その後、同期基地局320に関連した情報は、非同期基地局310に伝送される。
【００２２】
受信部としてのGPS信号受信機は、GPS衛星からGPS信号を受信して、絶対時間のような時間関連情報及びロングコードステートを計算する。次いで、計算された時間関連情報とロングコードステートは非同期基地局310に伝送される。この場合、同期基地局に関連した隣接基地局リストはGPS信号から獲得できないため、非同期基地局に接続されたコア網から受信する。
【００２３】
非同期基地局310から同期基地局320にハンドオフを遂行するために、非同期基地局310は、時間関連情報、隣接基地局リスト及びロングコードステートを非同期基地局310と通信している二重モード移動局300に伝送する。時間関連情報、隣接基地局リスト及びロングコードステートは、ブロードキャスチング信号(broadcasting signal)、フェージング信号(phasing signal)または専用信号(dedicated signal)を介して伝送できるのが好ましい。
【００２４】
図4は、図3に示した受信部330を示すブロック図である。図4を参照すれば、受信部は外部信号受信部331、外部信号のデコーディング部332及び制御部333からなる。まず、受信部として拡張受信機が用いられる場合、外部信号受信部331は同期基地局320から伝送されるパイロット信号及び同期信号を受信する。
【００２５】
外部信号のデコーディング部332は、パイロット信号及び同期信号をデコーディングして同期基地局320に関連した情報を獲得して非同期基地局310に伝送する。この場合、同期基地局に関連した情報は、同期基地局320の絶対時間のような時間関連情報と隣接基地局リスト及びロングコードステートを含む。
【００２６】
制御部333は、非同期基地局から出力される制御信号に応答して外部信号受信部331及び外部信号のデコーディング部332の状態及び動作を制御する。同期基地局の絶対時間を獲得した後、非同期基地局310は、非同期基地局の絶対時間をセットアップするための初期化動作を遂行する。
【００２７】
以下、図5を参照し非同期基地局の初期化動作について説明する。まず、非同期基地局は、上位階層から非同期システム初期化メッセージを介してオフセット時間(Toffset,i)を受信する。この場合、各非同期基地局は互いに異なるオフセット時間を有する。また、オフセット時間は、非同期通信システムで定義されるチップ当たりのスロット数の整数倍を除外した任意の値である。
【００２８】
次いで、非同期基地局は隣接する同期基地局の絶対時間を獲得し、獲得した同期基地局の絶対時間を非同期基地局の基準時間(T)に設定する。ここで、絶対時間(t)は非同期基地局が移動局に信号を伝送する時、全ての信号に適用される基準として機能する時間を示す。一方、基準時間(T)は絶対時間を決定する補助的な役割をする。
【００２９】
次いで、オフセット時間(Toffset、i)及び基準時間(T)を利用して非同期基地局の絶対時間(t)を設定する。絶対時間(t)は次の数式1のように定義される。
ti=T+Toffset、i  （１）
ここで、iは整数であり、tiはi-番目の非同期基地局の絶対時間を示し、Tは非同期基地局の基準時間を示し、Toffset、iは上位階層から指定したオフセット時間を各々示す。
【００３０】
受信部330としてGPS信号受信機を使用する場合、外部信号受信部331はGPS衛星からGPS信号を受信し、外部信号のデコーディング部332は、GPS信号をデコーディングしてロングコードステート及び前記同期基地局の時間情報を獲得し、前記非同期基地局に伝送する。制御部333は、前記非同期基地局から出力される制御信号に応答して、前記外部信号受信部331及び外部信号デコーディング部332の状態及び動作を制御する。この場合、同期基地局に関連した隣接基地局リストは、非同期基地局が接続されているコア網から伝送される。
【００３１】
非同期基地局から同期基地局へのハンドオフが必要である時、非同期基地局はパワーモニタリング命令と獲得した同期基地局に関連した情報とを二重モード移動局に伝送することによって、非同期基地局から伝送された情報を利用して、同期基地局に対するパワーモニタリング動作が可能となる。
【００３２】
以下、本発明の一実施の形態に係る同期基地局に関連した情報を、二重モード端末器に伝送する方法に関して説明する。
【００３３】
一般的に、同期信号をデコーディングしてロングコードステートを獲得することに約240msがかかる。したがって、コンプレストモードの間に、同期信号をデコーディングすることは不可能である。一方、ロングコードステートは時間に応じて変わる情報であるため、ロングコードステートは正確な時間に移動局に伝送されなければならない。
【００３４】
図6は、ロングコードステートの伝送に用いられるAICH(acquisition indicator channel)の構造を示す図面であって、図7は、本発明の一実施の形態に係るAICHチャネルを利用してロングコードステートを伝送する方法を示した図である。AICHは非同期基地局でPCCPCH(primary common control physical channel)と同一のフレームタイミングを有しているため、ロングコードステートを二重モード移動局に伝送することができる。
【００３５】
図6に図示したように、AICHは二つのフレームの中に15個のアクセススロット(access slot)を有している。拡散ファクタ(SF: spreading factor)が256である場合、AICHはアクセススロットごとに４個の使用しないビットがあるため、二つのフレームの中に60個の用いられないビットが存在することとなる。
【００３６】
従って、41ビットのロングコードステートがAICHを介して伝送できる。また、12ビットのCRC(cyclic redundancy check)コードを添付できる。CRCコードは、ロングコードステートが正しく伝送されたのかを確認することに用いられる。結局、二重モード移動局はAICHの15アクセススロットの間に、ロングコードステートを正確に獲得できる。
【００３７】
図8は、本発明の他の実施の形態として、新しい物理チャネルを利用してロングコードステートを伝送する方法を示した図面である。本発明に係る新しい物理チャネルは二つのロングコードステート部分と一つのパイロット部分とからなる。ここで、パイロット部分はロングコードステート部分をデコーディングする時、参考として用いられる。
【００３８】
図8を参照すれば、CRCコーディング部800は、新しい物理チャネルを介して50ビットのロングコードステートを受信して12ビットのCRCコードを付加した後、CRCコーディング動作を遂行して62ビットのCRCコーディングされたデータを出力する。データ添加部810は、CRCコーディングされたデータを受信して、CRCコーディングされたデータのテール(tail)部分に8ビットのデータを添付し、70ビットのデータを出力する。
【００３９】
コンボルーションインコーダー(convolution encoder)820は、70ビットのデータにコンボルーションインコーディング動作を遂行して、140ビットのデータを出力する。
【００４０】
ブロックインタリービング部(block interleaving unit)830は、140ビットのデータにインタリービング動作を遂行して、インタリービングされたロングコードステートを移動局に伝送する。処理されたロングコードステートは、上述した手順を二回繰り返し遂行した後、新しい物理チャネルを介して伝送される。
【００４１】
新しい物理チャネルはPCCPCHのようなフレームタイミングを有し、二重モード端末器は、新しい物理チャネルのフレームタイミングと同期及び非同期基地局のフレームタイミングとの関係を利用して、ロングコードステートが用いられるタイミングを決定することができる。
【００４２】
図9は、本発明に係る非同期基地局から隣接する同期基地局へのハンドオフを遂行する方法を示すフローチャートである。図9を参照すれば、ステップS900で、二重モード移動局と通信している非同期基地局は、隣接する同期基地局に関連した情報を非同期基地局に接続された受信部を介して受信する。ここで、受信部はGPS信号受信機または同期システム信号受信機のような拡張受信機で具体化できる。拡張受信機が用いられる場合、同期基地局から伝送されたパイロット信号と同期信号とをデコーディングして隣接基地局リスト、ロングコードステート、同期基地局の絶対時間のような時間関連情報を獲得する。
【００４３】
GPS信号受信機が用いられる場合、GPS信号受信機はGPS衛星からGPS信号を受信して絶対時間とロングコードステートのような同期基地局に関連した情報を獲得する。この場合、隣接基地局リストはGPS信号から獲得できないため、非同期基地局に接続されたコア網から獲得する。
【００４４】
ステップS902で、同期基地局の絶対時間を利用して、非同期基地局の絶対時間をセットアップするための初期化動作を遂行する。具体的には、非同期基地局は、上位階層から非同期システムの初期化メッセージを介してオフセット時間を受信する。この場合、各非同期基地局は、互いに異なるオフセット時間を有するようにする。オフセット時間は、スロット当たりのチップ数の整数倍を除外した任意の値である。
【００４５】
次いで、隣接する同期基地局の絶対時間を獲得した後、非同期基地局は同期基地局の絶対時間を自分の基準時間として設定し、非同期基地局の絶対時間tiを下記の数式2で規定される値に設定する。
ti=T+Toffset、i  （２）
ここで、iは整数であり、tiはｉ-番目の非同期基地局の絶対時間を示し、Tは非同期基地局の基準時間を示し、Toffset、iは上位階層から指定したオフセット時間を各々示す。
【００４６】
上記で分かるように、各非同期基地局は基準時間が同一であり、絶対時間は互いに異なることとなる。
【００４７】
ステップS904で、二重モード移動局は非同期基地局と通信する。ステップS906で、ハンドオフが必要な場合、非同期基地局は、二重モード移動局にハンドオフする隣接した非同期基地局を探索しなさいというメッセージを伝送する。二重モード移動局は、ハンドオフする隣接した非同期基地局を探索してその結果を非同期基地局に伝送する。
【００４８】
ステップS908で、非同期基地局はハンドオフする非同期基地局が存在しているのか否かを判断する。ステップS908で、ハンドオフする非同期基地局が存在すればステップS910に進み、非同期基地局は当該非同期基地局にハンドオフを遂行する。他方、ステップS908で、ハンドオフする非同期基地局が存在しないと判断すればステップS912に進み、非同期基地局はパワーモニタリング命令を二重モード移動局にRRC(radio resource control)メッセージの形態で伝送する。
【００４９】
ステップS914では、非同期基地局はまた隣接基地局リスト、ロングコードステート、時間関連情報を含む隣接する同期基地局に関連した情報を二重モード移動局に伝送する。また、隣接する同期基地局に関連した情報はブロードキャスチング信号、フェージング信号、または専用信号を介して伝送される。
【００５０】
ステップS916では、パワーモニタリング命令と同期基地局に関連した情報を受信した後、二重モード移動局は隣接する同期基地局に対するパワーモニタリング動作を遂行して、モニタリングされた結果を非同期基地局に報告する。この場合、パワーモニタリング動作はコンプレストモード(Compressed mode)の間に遂行される。図10に示したように、コンプレストモード(Compressed mode)はアイドル周期(idle period)を有している。二重モード移動局はゼロオフセットタイミング(zero offset timing)を獲得して、隣接基地局リストから最大出力値を有するパイロットオフセットを探索して、探索された結果を非同期基地局に報告する。探索された結果はパイロット強さ測定メッセージ(pilot strength measurement message)の形態で伝送される。
【００５１】
ステップS918では、非同期基地局は、二重モード移動局から伝送された探索結果を分析して最大値を有するパイロット信号を利用してハンドオフする同期基地局を選択する。
【００５２】
ステップS920では、非同期基地局から選択された同期基地局へのハンドオフが遂行される。すなわち、非同期基地局はハンドオフ要求メッセージ(handoff required message)をコア網に伝送し、コア網はハンドオフ要求メッセージ(handoff request message)をハンドオフする同期基地局に伝送する。
【００５３】
上記のように、本発明を好ましい実施の形態によって記述したが、請求項で規定した本発明の技術的範囲内で、種々の変化及び変更が可能であることは当業者において明白である。
【００５４】
【発明の効果】
無線移動通信システムにおいて、非同期基地局に隣接した同期基地局に関連した情報を受信することのできる受信装置を非同期基地局に装着することによって、非同期基地局から同期基地局へのハンドオフを效率的に遂行することができる。
【図面の簡単な説明】
【図1A】  IMT-2000システムのネットワークインタフェース構造を示した図であり、二重モード移動局10が同期式無線網11と同期式コア網12とで構成されるシステムと通信する例である。
【図１B】 IMT-2000システムのネットワークインタフェース構造を示した図であり、二重モード移動局10が同期式無線網11と非同期式コア網13とで構成されるシステムと通信する例である。
【図１C】 IMT-2000システムのネットワークインタフェース構造を示した図であり、二重モード移動局10が非同期式無線網22と非同期式コア網23とで構成されるシステムと通信する例である。
【図１D】 IMT-2000システムのネットワークインタフェース構造を示した図であり、二重モード移動局10が非同期式無線網22と同期式コア網24とで構成されるシステムと通信する例である。
【図2A】  本発明が適用される非同期基地局から同期基地局へのハンドオフを示した図であり、非同期コア網がANSI-41の場合である。
【図2B】  本発明が適用される非同期基地局から同期基地局へのハンドオフを示した図であり、非同期コア網がGSM-MAPまたはUMTSの場合である。
【図3】  本発明の一実施例に係る同期基地局に関連した情報を受信するための受信部を利用する無線移動通信システムを示した図である。
【図4】  図3の受信部を示したブロック図である。
【図5】  本発明に係る非同期基地局に対する絶対時間を示したタイミング図である。
【図6】  ロングコードステートを伝送するために用いられるAICH(acquisition indicator channel)の構造を示した図である。
【図7】  本発明に係るAICH(acquisition indicator channel)を利用してロングコードステートの伝送を示した図である。
【図8】  本発明に係るロングコードステートを伝送するために用いられる物理チャネルの構造を示す図である。
【図9】  本発明に係る非同期基地局から同期基地局へのハンドオフを遂行する方法を示すフローチャートである。
【図10】  コンプレストモード(compressed mode)の構造を示す図である。
【符号の説明】
300      二重モード移動局
310      非同期基地局
320      同期基地局
330      受信部
331      外部信号受信部
332      外部信号のデコーディング部
333      制御部
【図１Ａ】
0003739276.tif 000002
【図１Ｂ】
0003739276.tif 000003
【図１Ｃ】
0003739276.tif 000004
【図１Ｄ】
0003739276.tif 000005
【図２Ａ】
0003739276.tif 000006
【図２Ｂ】
0003739276.tif 000007
【図３】
0003739276.tif 000008
【図４】
0003739276.tif 000009
【図５】
0003739276.tif 000010
【図６】
0003739276.tif 000011
【図７】
0003739276.tif 000012
【図８】
0003739276.tif 000013
【図９】
0003739276.tif 000014
【図１０】
0003739276.tif 000015